(57)【要約】【課題】  衝突初期の段階で所定の衝撃荷重に達するＡ点、Ａ点から衝撃荷重を一定時間持続させてから荷重が上昇するＢ点を有する車輌バンパ用緩衝材において、Ｂ点以後の荷重上昇勾配をコントロールする。【解決手段】  緩衝材前部31と該緩衝材前部に連なる緩衝材後部32とからなり、緩衝材前部31は衝突当り部35から車輌内方向に複数の壁部36、37を有し、緩衝材後部32は少なくとも１つの壁部37の先端に該壁部よりも車輌上下方向の肉厚が大きく緩衝材前部31の長手方向に延びるブロック38を有している。ブロックの上下方向の厚みの和の大小によって、Ｂ点のタイミング及びＢ点以後の荷重上昇勾配をコントロールできる。【選択図】  図１
2006123679.tif 000002
【特許請求の範囲】
【請求項１】
衝撃が加わった際に潰れて衝撃を吸収する車輌バンパ用緩衝材であって、緩衝材前部と該緩衝材前部に連なる緩衝材後部とからなり、緩衝材前部は、車輌幅方向に延びる複数の壁部と、隣り合う壁部の前端が繋がって形成された衝突当り部を有し、緩衝材後部は少なくとも１つの壁部の後端に車輌幅方向に延び車輌上下方向の肉厚が壁の肉厚よりも大きいブロックを有している緩衝材。
【請求項２】
緩衝材後部には、緩衝材前部の壁部間に車輌内方向に開口し車輌幅方向に延びる凹条が設けられている請求項１に記載の緩衝材。
【請求項３】
緩衝材前部には、車輌外方向に開口し車輌幅方向に延びる凹条を有し、該凹条の上下に緩衝材後部の凹条が位置している請求項２に記載の緩衝材。
【請求項４】
各凹条は緩衝材の長手方向と直交する断面が略Ｖ字状であり、緩衝材は長手方向と直交する断面はＷ字状である請求項２又は３に記載の緩衝材。
【請求項５】
各壁部に夫々ブロックが繋がっている請求項１乃至４の何れかに記載の緩衝材。
【請求項６】
中央の２つの壁部は共通のブロックに繋がっている請求項１乃至５の何れかに記載の緩衝材。
【請求項７】
発泡樹脂により一体成形された請求項１乃至６の何れかに記載の緩衝材。
【請求項８】
発泡樹脂がスチレン改質ポリエチレン系樹脂である請求項７に記載の緩衝材。
【請求項９】
請求項１乃至８の何れかの緩衝材をバンパリインフォースメントに固定し、緩衝材をバンパカバーで覆った車輌用バンパ。
【発明の詳細な説明】
【技術分野】
【０００１】
本発明は、衝撃が加わった際、材料自体の圧壊によって衝撃を吸収する緩衝材及び該緩衝材を組み込んだ車輌用バンパに関する。
【背景技術】
【０００２】
車輌用バンパは、バンパリインフォースメントに、発泡成形された緩衝材を取り付け、これをバンパカバーで覆ったものが実施されている。該緩衝材は、自動車が歩行者と接触事故を起こした場合に、バンパが歩行者の脚部に衝突したことによって潰れて衝撃を吸収し、歩行者の脚部に加わるダメージを低減する。
【０００３】
図１４は、従来の緩衝材の一例を示しており、車輌の幅方向に長く延び、緩衝材の長手方向と直交する断面形状はＷ型である。
緩衝材(3a)に衝突荷重が作用すると、緩衝材(3a)の各凹条(33a)(34a)の上壁と下壁との間が開いて荷重を吸収する。
【０００４】
図１５の実線で示すグラフは、図１４に示される従来の緩衝材による衝突荷重と圧縮率との関係を示したもので、衝突初期の段階で歩行者の脚部に重大なダメージを与えない程度の所定の衝突荷重に達し(図１５のＡ点黒丸)、その後、該所定の衝撃荷重を一定時間保持(図１５のＡ点黒丸とＢ点黒丸とを結ぶ線上の間)させ衝撃エネルギーを吸収する。
即ち、該緩衝材に作用する衝撃荷重が所定量に達した時点で、衝撃荷重の上昇を抑制するように緩衝材が大きく変形し、衝撃エネルギーの所定量を一定時間吸収することにより、歩行者の脚部に重大なダメージを与える危険性を回避できる(特許文献１)。
以下の説明の各グラフのＡ点、Ｂ点は、図１５のＡ点、Ｂ点に対応する。又、Ａ点からＢ点までをフラット領域、Ｂ点以後を勾配領域と呼ぶ。
【０００５】
【特許文献１】特開２００４−１７５３３８公報
【発明の開示】
【発明が解決しようとする課題】
【０００６】
しかしながら、従来の緩衝材では、衝撃エネルギーの吸収量が一定であるため、歩行者がバンパに衝突した際の歩行者脚部の挙動も一定となるため、車輌の形状によっては適合しないものもあり、歩行者脚部のダメージを軽減する限界荷重を越えない範囲で、車輌の形状に合わせて歩行者脚部の挙動を最適な状態にコントロールできる緩衝材が望まれていた。
本発明は、衝撃エネルギーの吸収量を容易に調整することができる緩衝材を提供することを課題とする。
【０００７】
以下の説明で、「内外方向」は車輌における車輌内方向と車輌外方向に対応し、「上下方向」は車輌における上下方向に対応する。
【課題を解決するための手段】
【０００８】
衝撃が加わった際に潰れて衝撃を吸収する車輌バンパ用緩衝材であって、緩衝材前部と該緩衝材前部に連なる緩衝材後部とからなり、緩衝材前部は、車輌幅方向に延びる複数の壁部と、隣り合う壁部の前端が繋がって形成された衝突当り部を有し、緩衝材後部は少なくとも１つの壁部の後端に車輌幅方向に延び車輌上下方向の肉厚が壁の肉厚よりも大きいブロックを有している。
【０００９】
請求項２は、請求項１の緩衝材において、緩衝材後部には、緩衝材前部の壁部間に車輌内方向に開口し車輌幅方向に延びる凹条が設けられている。
【００１０】
請求項３は、請求項２の緩衝材において、緩衝材前部(31)に車輌外方向に開口し車輌幅方向に延びる凹条(33)を有し、該凹条(33)の上下に緩衝材後部(32)の凹条(34)(34)が位置している。
【００１１】
請求項４は、請求項２又は３に記載の緩衝材において、各凹条(33)(34)は緩衝材の長手方向と直交する断面が略Ｖ字状であり、緩衝材は長手方向と直交する断面はＷ字状である。
【００１２】
請求項５は、請求項１乃至４の何れかに記載の緩衝材において、各壁部(36)(37)に夫々ブロック(38)(39)が繋がっている。
【００１３】
請求項６は、請求項１乃至５の何れかに記載の緩衝材において、中央の２つの壁部(37)(37)は共通のブロック(38)に繋がっている。
【００１４】
請求項７は、請求項１乃至６の何れかに記載の緩衝材において、発泡樹脂により一体成形されている。
【００１５】
請求項８は、請求項６に記載の緩衝材において、発泡樹脂がスチレン改質ポリエチレン系樹脂である。
【００１６】
請求項９の車輌用バンパは、 請求項１乃至８の何れかの緩衝材(３)をバンパリインフォースメント(２)に固定し、緩衝材(３)をバンパカバー(４)で覆っている。
【発明の効果】
【００１７】
請求項１の緩衝材(３)は、衝突当り部(35)に衝突負荷が加わったとき、壁部(36)(37)に車輌内方向の圧縮力を加える。壁部(36)(37)に圧縮変形、曲げ変形が生じて所定の衝撃荷重に達し、更に該衝撃荷重がほぼ持続されたフラット領域に入る。
緩衝材前部(31)にて壁部(36)(37)が押し潰されて緩衝の働きがなくなると、荷重は専ら緩衝材後部(32)が受けることになり、フラット領域から急に荷重が大きくなる勾配領域に入る。即ち、衝突の瞬間から、フラット領域の終端に達するタイミングは、緩衝材前部(31)の車輌内外方向の長さＬ1(図３参照)によって制御し、緩衝材後部(32)の複数のブロック(38)(39)の上下方向肉厚の和によって荷重勾配を制御できる。
これによって、所望の荷重上昇勾配を効果的にコントロールすることができる。
【００１８】
請求項２の緩衝材(３)は、緩衝材後部(32)に、車輌内方向に開口し車輌幅方向に延びる凹条(34)が緩衝材前部(31)の壁部(36)(37)間に設けられているから、衝突当り部(35)に衝突荷重が加わったとき、外側の壁部(36)(36)は、“く”の字状に潰れる。この結果、緩衝材前部(31)の壁部(36)(37)は車輌内方向に圧縮変形せず、衝突体(「歩行者の脚部」以下、同じ)が緩衝材(３)から受ける衝撃荷重の上昇を抑制できる。
【００１９】
請求項３の緩衝材(３)は、緩衝材前部(31)の車輌外方向の中央に凹条(33)を有し、緩衝材後部(32)に該凹条(33)を挟んで凹条(34)(34)を有しているから、衝突当り部(35)に衝突荷重が加わったとき、外側の壁部(36)(36)は、“く”の字状に潰れる。この結果、緩衝材前部(31)の壁部(36)(37)は車輌内方向に圧縮変形せず、衝突体が緩衝材(３)から受ける衝撃荷重の上昇を抑制できる。又、凹条(33)(34)(34)によって緩衝材前部(31)の潰れ残り代を低減させることができ、前記所定の衝撃荷重を越えて急速に衝撃荷重が上がるタイミング(図１５のＢ点)を適正にすることができる。
【００２０】
請求項４の緩衝材(３)は、緩衝材前部(31)は長手方向と直交する断面は、車輌外方向の中央に凹条(33)を有し、緩衝材後部(32)に該凹条(33)を挟んで凹条(34)(34)を有するＷ型であるから、衝突当り部(35)に衝突荷重が加わったとき、外側の壁部(36)(36)が“く”の字状に潰れる。この結果、緩衝材前部(31)の壁部(36)(37)は車輌内方向に圧縮変形せず、衝突体が緩衝材(３)から受ける衝撃荷重の上昇を抑制できる。又、凹条(33)(34)(34)によって緩衝材前部(31)の潰れ残り代を低減させることができ、前記所定の衝撃荷重を越えて急速に衝撃荷重が上がるタイミング(図１５のＢ点)を適正にすることができる。
【００２１】
請求項５の緩衝材(３)は、各壁部(36)(37)にブロック(38)(39)が繋がっているから、フラット領域を越えて勾配領域の荷重を受けるバランスがよい。
【００２２】
請求項６の緩衝材(３)は、内側の２つの壁部(37)(37)は共通のブロック(38)に繋がっているから該ブロック(38)の車輌上下方向の長さを大きく出来、他のブロック(39)(39′)の上下方向の長さを小さくして、緩衝材(３)全体の車輌上下方向の寸法を小さくできる。
【００２３】
請求項７の緩衝材(３)は、発泡樹脂で一体成形するから量産に適し、低コストで生産できる。
【００２４】
請求項８の緩衝材(３)は、スチレン改質ポリエチレン系樹脂を用いているため、衝撃吸収性と成形性がより好ましい。
【００２５】
請求項９のバンパは、上記した様に、好ましい衝撃吸収性を発揮する緩衝材(３)をバンパリインフォースメント(２)に固定し、緩衝材(３)をバンパカバー(４)で覆って形成されるから、緩衝材(３)の特性を損なわず、バンパ自体の好ましい衝撃吸収性を発揮する。
【発明を実施するための最良の形態】
【００２６】
図１は、本発明の車輌用バンパ(１)を車輌の前部に取り付けた状態を、車輌左側から見た断面図で示している。
バンパ(１)は、車輌に固定された金属製のバンパリインフォースメント(２)の前面に緩衝材(３)を取り付け、緩衝材(３)及びバンパリインフォースメント(２)をバンパカバー(４)で覆って形成されている。
バンパカバー(４)は薄肉樹脂で形成され、衝突によって衝撃が加わった際に、変形または破断される。
【００２７】
緩衝材(３)は、樹脂の発泡成形により、車輌の幅方向に長く形成されている。バンパリインフォースメント(２)上に、１つの長尺緩衝材(３)を取り付けてもよく、或いは複数の短尺緩衝材(３)を並べて取り付けてもよい。
【００２８】
図２、図３に示す如く、緩衝材(３)は、緩衝材前部(31)と、該緩衝材前部(31)から内方向に連なる緩衝材後部(32)とからなる。
図３は衝撃試験のために緩衝材(３)を、荷重が上方から掛かる様に描いている(以下、「図７」「図９」「図１１」「図１２」「図１３」も同様)。
緩衝材前部(31)は、緩衝材(３)の長手方向(車輌幅方向)と直交する断面形状がＷ型であり、外面に１つの凹条(33)、内面に該凹条(33)を挟んで２つの凹条(34)(34)を有している。
各凹条(33)(34)(34)は、長手方向と直交する断面が略Ｖ字型である。
緩衝材前部(31)の外向きの２つの頂部が衝突当り部(35)となっており、各衝突当り部(35)からは、夫々２つの壁部(36)(37)が内方拡がりに、Ｖ字状を成す様に延びている。即ち、車輌の上下方向に隣り合う壁部(36)(37)、(37)(36)の前端が繋がっている部分の外側面が、衝突体(歩行者の脚部)に当たる衝突当り部(35)となっている。
【００２９】
各壁部(36)(37)の車輌側の先端は、断面矩形のブロック(38)(39)(39′)が一体に突設された緩衝材後部(32)を構成している。
隣り合うブロック(38)と(39)、及び(38)と(39′)は、前記凹条(34)の最大開口幅の間隔を存して隣り合っている。
緩衝材前部(31)の車輌内外方向の厚みＬ1は、各ブロック(38)(39)の車輌内外方向の肉厚Ｌ2より大きい。
中央部の２つの壁部(37)(37)は共通のブロック(38)に連続している。
中央部の２つの壁部(37)(37)の肉厚ｔ2は互いに等しい。
図３において左右の２つの壁部(36)(36)の肉厚ｔ1は互いに同じであり、中央部の壁部(37)の肉厚ｔ2よりも小さい。
中央部の２つの壁部(37)(37)の夫々の傾き角度θ2は、左右の２つの壁部(36)(36)の夫々の傾き角度θ1よりも大きい。
右側のブロック(39′)は、右側の壁部(36)先端よりも更に右側に突出している。
左側のブロック(39)は、左側の壁部(36)の先端よりも更に左側に突出している。
２つの衝突当り部(35)の車輌外方向の前端面は、面が揃っている。３つのブロック(38)(39)(39′)の車輌内方向の端面も面が揃っている。
中央ブロック(38)の車輌上下方向の肉厚ｈ2を、車輌内外方向のブロック肉厚Ｌ2で除した値は１以上である。即ち、中央ブロック(38)は、断面が車輌上下方向に長い長方形に形成されている。
左右のブロック(39)(39′)の車輌高さ方向の夫々の肉厚ｈ1、ｈ3を、車輌内外方向のブロック肉厚Ｌ2で除した値は１以下である。
【００３０】
緩衝材(３)は、公知の型内発泡成形で製造できる。
例えば、物理型発泡剤を含浸させた発泡性熱可塑性樹脂ビーズを５〜２５倍に予備発泡して得られた直径１〜５mmの予備発泡粒子を成形型内に注入し、蒸気加熱によって発泡させて粒子間を融着させる。
予備発泡していない発泡性熱可塑性樹脂ビーズを型内発泡させてもよい。
発泡性熱可塑性樹脂ビーズを構成する熱可塑性樹脂としては、例えば、スチレン改質ポリエチレン系樹脂、ポリエチレン系樹脂、ポリプロピレン系樹脂、ポリエステル系樹脂、ポリスチレン系樹脂等を挙げることができる。特に、スチレン改質ポリエチレン系樹脂を用いると成形体としての衝撃吸収性と成形性がより好ましい。
物理型発泡剤としては、例えば、プロパン、ブタン、ペンタン、ヘキサン等の脂肪族炭化水素類等を挙げることができる。これらの物理型発泡体は、単体で用いても、２種以上を併用してもよい。
【００３１】
上記バンパ(１)の作用を説明する。
車輌が歩行者と衝突事故を起こしたとき、歩行者の脚部からバンパカバー(４)に衝撃が加わって、バンパカバー(４)が変形または破断される。その際に緩衝材(３)に衝撃が加わり、先ず緩衝材前部(31)が図５に示す如く、外側の壁部(36)(36)が“く”の字状に潰れ、内側の壁部(37)(37)が外側へ倒れ込む。
単なる断面Ｗ型の緩衝材前部であれば、各壁部は車輌の内外方向に圧縮変形しないで、荷重を受けたときに傾いて開くことによって、歩行者の脚部が緩衝材から受ける衝撃荷重の上昇を抑える。これに対して、本実施形態の場合は、圧縮変形すると共に、図５に示す様に潰れて、衝突初期の歩行者の脚部に対するダメージを軽減する。
【００３２】
緩衝材前部(31)が潰れて緩衝の作用がなくなると、荷重は専ら緩衝材後部(32)が受けることになり、フラット領域から急に荷重が大きくなる勾配領域に入る。即ち、衝突の瞬間から、フラット領域の終端Ｂ′点に達するタイミングは、緩衝材前部(31)の車輌内外方向の長さＬ1(図３参照)で制御できる。Ｌ1を大きくすればフラット領域の終端に至るタイミングを延ばすことができ、歩行者のダメージを軽減する。
【００３３】
緩衝材後部(32)のブロック(38)(39)(39′)の車輌上下方向の肉厚の和(ｈ1、ｈ2、ｈ3)は、勾配領域の荷重勾配に関係する。該肉厚の和が大きいほど、勾配が急になる。即ち、荷重が急激に上がる。
緩衝材前部(31)は長手方向と直交する断面はＷ型であり、車輌内外方向に凹条(33)(34)(34)を有しているから、緩衝材前部(31)の潰れ残り代を低減させることができ、上記所定の衝撃荷重を越えて急速に衝撃荷重が上がるタイミング(図１５のＢ点)を適正にすることができる。
【００３４】
緩衝材(３)は、各壁部(36)(37)にブロック(38)(39)が繋がっているから、フラット領域を越えて勾配領域の荷重を受けるバランスがよい。
緩衝材(３)は、上下に対称形状であるから、全領域での荷重を受けるバランスがよい。
緩衝材(３)は、発泡樹脂で一体成形するから、量産に適し、低コストで生産できる。更に、発泡樹脂は、スチレン改質ポリエチレン系樹脂であるから、より好ましい衝撃吸収性と成形性を発揮する。
【００３５】
以下に、実施例１乃至４の緩衝材についての衝撃試験について説明する。
衝撃試験方法は、試験片と圧子形状が異なる以外は、ＪＩＳ Ｚ０２３５の「包装用緩衝材の動的圧縮試験法」と同じである。
試験機：垂直自由落下形
重錘重量：２５kg
落下高さ：１.０２ｍ
加速度計：衝撃加速度測定
変位計：試験体変位量測定
圧子形状：直径７５mmの半円筒形(人体の脚部の太さを想定し、円弧面を下向            きにし重錘の下面に取り付けた)
【実施例１】
【００３６】
実施例１における緩衝材(３)は、スチレン改質ポリエチレン系発泡樹脂(商品名：ピオセランＰＯＯＰ 積水化成品工業株式会社製)を原料とし、１０倍に予備発泡させた、直径２.５〜３.５mmの粒子を成形型内に充填し、蒸気加熱により発泡した粒子間を融着させて形成されている(以下、実施例２、３、４の緩衝材も同じ)。
緩衝材(３)の寸法は、図３において、( )内に記載された数字(単位mm)で表す。
図４の衝撃試験のグラフは、実施例１(実線で示す)と、従来例(二点鎖線で示す)(図１４のＷ型緩衝材)の衝撃試験を比較している。
図４のＡ点、Ｂ点は、図１５のＡ点、Ｂ点に対応するものである。
実施例１では、フラット領域の終点(Ｂ′点)に達するのは、従来例の緩衝材(3a)のフラット領域の終点(Ｂ点)よりもタイミング的に速くなる。
緩衝材の車輌内外方向の寸法が同じであるなら、扁平Ｗ状の緩衝材前部(31)の後部にブロック(38)(39)(39′)を設けた実施例１の緩衝材(３)の方が、従来のＷ型緩衝材(3a)よりも、フラット領域の終点(Ｂ′点)に達するもタイミングを速くできる。別の言い方をすれば、フラット領域の終端に達するタイミングは、緩衝材前部(31)の車輌内外方向の長さＬ1(図３参照)で制御でき、Ｌ1を小さくすると、フラット領域の終点に達するタイミングは速くなり、Ｌ1を大きくするとフラット領域の終点に達するタイミングを遅くできる。
【実施例２】
【００３７】
実施例２の緩衝材は、全体形状は図３に示す実施例１の緩衝材(３)と似ているが ３つのブロック(38)(39)(39′)の車輌上下方向の厚みの和(ｈ1＋ｈ2＋ｈ3)を６３.３mmとし、具体的には、ｈ1とｈ2を夫々１２.５mm小さくし、第１実施例のそれらの和である８８.３mmに比べて２５mm小さくした。
図６は、実施例２と上記実施例１の衝撃試験の対比を示すグラフである。Ａ点荷重に達するのは上記実施例１とほぼ同じタイミングであるが、実施例２は実施例１に比べて、Ｂ点からの上昇は緩やかである。
緩衝材(３)のブロック(38)(39)(39′)の車輌上下方向の肉厚の和は、勾配領域の荷重勾配に関係し、該肉厚の和が大きいほど勾配が急になる。即ち、荷重が急激に上がることが分かる。
【実施例３】
【００３８】
図７に示す如く、実施例３の緩衝材(３)は、右側のブロック(39′)を右側に長くし(車輌上下方向に大きくし)、左側のブロックを省略し、左端の壁部(36)を他のブロック(39′)の車輌内方向の端面に揃う様に延ばした。
実施例１と同一部分については実施例１と同じ符号を付して説明を省略する(以下の実施例４乃至実施例７も同様)。
両ブロック(38)(39′)の車輌上下方向の厚みの和は、８８.３mmであり、前記第１実施例の３つのブロック(38)(39)(39′)の車輌上下方向の厚みの和と同じである。
図８は、実施例３と前記実施例１の衝撃試験の対比を示すグラフである。実施例３の緩衝材は、第１実施例の緩衝材とほぼ同様の圧縮変形の過程を辿る。
【実施例４】
【００３９】
図９に示す如く、実施例４の緩衝材(３)の全体形状は、前記実施例１の緩衝材と似ているが ３つのブロック(38)(39)(39′)の車輌内外方向の厚みＬ2を２０mmとし、実施例１のそれに比べて５mm小さくした。緩衝材(３)全体の車輌内外方向の厚みは、実施例１と同様にして５５mmである。
図１０は、実施例４と前記実施例１の衝撃試験の対比を示すグラフである。Ａ点荷重に達するのは 実施例１とほぼ同じタイミングであるが、フラット領域の終点(Ｂ″点)に達するのは、実施例１(Ｂ′点)よりもタイミング的に遅れる。
ブロック(38)(39)(39′)の車輌内外方向の厚みが小さいほど、フラット領域の終点に達するタイミングを遅らせることができる。別の言い方をすれば、フラット領域の終端に達するタイミングは、緩衝材前部(31)の車輌内外方向の長さＬ1で制御でき、Ｌ1を小さくすると、フラット領域の終点に達するタイミングを速くでき、Ｌ1を大きくするとフラット領域の終点に達するタイミングを遅くできる。
【実施例５】
【００４０】
図１１に示す実施例５の緩衝材(３)は、左右のブロックは存在せず、中央ブロック(38)の内方中央に、緩衝材(３)の長手方向の全長に亘って凹溝(38′)を設けている。
【実施例６】
【００４１】
図１２に示す実施例６の緩衝材(３)は、前記実施例１の緩衝材の４つの壁部(36)(37)を平行にして緩衝材前部(31)を形成している。
実施例１と同様にして、車輌の上下方向に隣り合う壁部(36)(37)、(37)(36)の前端が繋がっている部分の外側面が衝突当り部(35)となっている。
【実施例７】
【００４２】
図１３に示す実施例７の緩衝材(３)は、板状の衝突当り部(35)から内方向に平行に３つの壁部(36)(36)(37)を突設し、各壁部(36)(36)(37)の先端にブロック(38)(39)(39′)を突設している。
車輌の上下方向に隣り合う壁部(36)(37)(36)の前端が繋がっている部分の外側面が衝突当り部(35)となっている。
【００４３】
実施例６、７の緩衝材(３)も、ブロック(38)(39)(39′)の車輌上下方向の長さの和の大小によって、又、ブロックの車輌内外方向の厚みの大小によって前記同様の効果を奏する。
【００４４】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【００４５】
【図１】本発明に係る車輌用フロントバンパを車輌左側から見た断面側面図である。
【図２】実施例１の緩衝材の断面斜視図である。
【図３】実施例１の緩衝材の長手方向と直交する面での断面図である。
【図４】実施例１と従来例の緩衝材の衝撃試験のグラフである。
【図５】緩衝材の想定潰れ状態の簡略説明図である。
【図６】実施例１と実施例２の衝撃試験の比較グラフである。
【図７】実施例３の緩衝材の断面図である。
【図８】実施例１と実施例３の衝撃試験の比較グラフである。
【図９】実施例４の緩衝材の断面図である。
【図１０】実施例１と実施例４の衝撃試験の比較グラフである。
【図１１】実施例５の緩衝材の断面図である。
【図１２】実施例６の緩衝材の断面図である。
【図１３】実施例７の緩衝材の断面図である。
【図１４】従来例のＷ型緩衝材の断面図である。
【図１５】従来例の緩衝材と目標緩衝材の衝撃緩衝特性の対比グラフである。
【符号の説明】
【００４６】
１  フロントバンパ
２  バンパリインフォースメント
３  緩衝材
31  緩衝材前部
32  緩衝材後部
33  凹条
34  凹条
35  衝突当り部
36  壁部
37  壁部
38  ブロック
39  ブロック
４  バンパカバー
【図１】
2006123679.tif 000003
【図２】
2006123679.tif 000004
【図３】
2006123679.tif 000005
【図４】
2006123679.tif 000006
【図５】
2006123679.tif 000007
【図６】
2006123679.tif 000008
【図７】
2006123679.tif 000009
【図８】
2006123679.tif 000010
【図９】
2006123679.tif 000011
【図１０】
2006123679.tif 000012
【図１１】
2006123679.tif 000013
【図１２】
2006123679.tif 000014
【図１３】
2006123679.tif 000015
【図１４】
2006123679.tif 000016
【図１５】
2006123679.tif 000017